(57)【要約】【目的】  使用不可であったコンテンツを使用可能にする追記データを汎用的なシステムを用いて生成できるようにする。【構成】  コンピュータ１の制御部１０は、読み取り専用領域３０と書き込み可能領域３１を持ち、上記読み取り専用領域３０には予め単数又は複数のコンテンツデータの実体のみが書き込まれており、上記コンテンツデータに関するファイルシステム情報は書き込まれていないハイブリッドディスク３に追記するデータとして、上記コンテンツデータのアドレス情報を持つファイルシステム情報から成る追記データを生成する。【選択図】        図１
2006221751.tif 000002
【特許請求の範囲】
【請求項１】
読み取り専用領域と書き込み可能領域を持ち、前記読み取り専用領域には予め単数又は複数のコンテンツデータの実体のみが書き込まれており、前記コンテンツデータに関するファイルシステム情報は書き込まれていないハイブリッドディスクに追記するデータとして、前記コンテンツデータのアドレス情報を持つファイルシステム情報から成る追記データを生成する工程を有することを特徴とする追記データ生成方法。
【請求項２】
読み取り専用領域と書き込み可能領域を持ち、前記読み取り専用領域には予め単数又は複数のコンテンツデータの実体の一部が書き込まれており、前記コンテンツデータに関するファイルシステム情報は書き込まれていないハイブリッドディスクに追記するデータとして、前記コンテンツデータの実体の残り部分及び前記コンテンツデータのアドレス情報とエクステント情報を持つファイルシステム情報から成る追記データを生成する工程を有することを特徴とする追記データ生成方法。
【請求項３】
請求項１又は２記載の追記データ生成方法において、前記コンテンツデータのアドレス情報をもつファイルシステム情報が書き込まれたハイブリッドディスクに追記するデータとして、前記コンテンツデータのアドレス情報を持たないファイルシステム情報から成る追記データを生成する工程を有することを特徴とする追記データ生成方法。
【請求項４】
請求項１乃至３のいずれか一項に記載の追記データ生成方法によって生成された追記データを前記ハイブリッドディスクに追記する工程を有することを特徴とするデータ追記方法。
【請求項５】
コンピュータに、読み取り専用領域と書き込み可能領域を持ち、前記読み取り専用領域には予め単数又は複数のコンテンツデータの実体のみが書き込まれており、前記コンテンツデータに関するファイルシステム情報は書き込まれていないハイブリッドディスクに追記するデータとして、前記コンテンツデータのアドレス情報を持つファイルシステム情報から成る追記データを生成する手順を実行させるためのプログラム。
【請求項６】
コンピュータに、読み取り専用領域と書き込み可能領域を持ち、前記読み取り専用領域には予め単数又は複数のコンテンツデータの実体の一部が書き込まれており、前記コンテンツデータに関するファイルシステム情報は書き込まれていないハイブリッドディスクに追記するデータとして、前記コンテンツデータの実体の残り部分及び前記コンテンツデータのアドレス情報とエクステント情報を持つファイルシステム情報から成る追記データを生成する手順を実行させるためのプログラム。
【請求項７】
前記コンテンツデータのアドレス情報をもつファイルシステム情報が書き込まれたハイブリッドディスクに追記するデータとして、前記コンテンツデータのアドレス情報を持たないファイルシステム情報から成る追記データを生成する手順を含む請求項５又は６記載のプログラム。
【請求項８】
前記生成された追記データを前記ハイブリッドディスクに追記する手順を含む請求項５乃至７のいずれか一項に記載のプログラム。
【請求項９】
請求項５乃至８のいずれか一項に記載のプログラムが記録されたコンピュータ読み取り可能な記録媒体。
【発明の詳細な説明】
【技術分野】
【０００１】
この発明は、ＣＤ，ＤＶＤを含む記録媒体に追記するデータを生成する追記データ生成方法と、その追記データ生成方法で生成された追記データを記録媒体に追記するデータ追記方法と、記録媒体に追記する追記データの生成及びその追記データを記録媒体に追記する手順をコンピュータに実行させるためのプログラムと、上記プログラムを記録したコンピュータ読み取り可能な記録媒体とに関する。
【背景技術】
【０００２】
一枚のディスク上に読み取り専用領域と書き込み可能領域を持つ「ハイブリッドディスク」の使用例として以下のものがある。
＜使用例＞
１．コンテンツ業者は、ハイブリッドディスクの読み取り専用領域に予め複数のソフトウェア（コンテンツ）を記録しておき、そのディスクを販売する。ユーザがそのディスクの購入時、もしくは購入後、複数のコンテンツの中からユーザ所望のコンテンツだけを使用可能にさせる。
従来、ハイブリッドディスクの上述のような使用方法に関する発明として、所望のコンテンツごとの使用許諾情報（コンテンツのアドレス）を、書き込み可能領域に後天的に書き込み、上記コンテンツへのアクセスを可能にすることによって実現している技術（例えば、特許文献１参照）があった。
【特許文献１】特開平６−３４９２４８号公報
【発明の開示】
【発明が解決しようとする課題】
【０００３】
しかしながら、上述した従来の技術では、現在実用化されているハイブリッドＣＤ−Ｒ（読み取り専用領域と追記書き込み可能領域を持つ）に適用した場合、以下のような問題がある。
１．特殊なディスクレイアウトであるために汎用性がなく、特殊なソフトウェアが必要になる。
２．ユーザが当初使用していたコンテンツから別のコンテンツを使用したくなった場合、使用許諾情報を書き換えることが前提となっているが、ハイブリッドＣＤ−Ｒでは書き換えができず、追記しかできない。
３．ディスク上のコンテンツの位置（アドレス）が分かれば、許諾情報を書き込まなくてもディスク上のそのアドレスを直接読み出し、コンテンツの使用やコピー等することが可能になってしまう。
この発明は上記の点に鑑みてなされたものであり、使用不可であったコンテンツを使用可能にする追記データを汎用的なシステムを用いて生成できるようにすることを目的とする。
【課題を解決するための手段】
【０００４】
この発明は上記の目的を達成するため、次の追記データ生成方法、データ追記方法、プログラム、コンピュータ読み取り可能な記録媒体を提供する。
（１）読み取り専用領域と書き込み可能領域を持ち、上記読み取り専用領域には予め単数又は複数のコンテンツデータの実体のみが書き込まれており、上記コンテンツデータに関するファイルシステム情報は書き込まれていないハイブリッドディスクに追記するデータとして、上記コンテンツデータのアドレス情報を持つファイルシステム情報から成る追記データを生成する工程を有する追記データ生成方法。
【０００５】
（２）読み取り専用領域と書き込み可能領域を持ち、上記読み取り専用領域には予め単数又は複数のコンテンツデータの実体の一部が書き込まれており、上記コンテンツデータに関するファイルシステム情報は書き込まれていないハイブリッドディスクに追記するデータとして、上記コンテンツデータの実体の残り部分及び上記コンテンツデータのアドレス情報とエクステント情報を持つファイルシステム情報から成る追記データを生成する工程を有する追記データ生成方法。
【０００６】
（３）上記（１）又は（２）の追記データ生成方法において、上記コンテンツデータのアドレス情報をもつファイルシステム情報が書き込まれたハイブリッドディスクに追記するデータとして、上記コンテンツデータのアドレス情報を持たないファイルシステム情報から成る追記データを生成する工程を有する追記データ生成方法。
（４）上記（１）〜（３）のいずれかの追記データ生成方法によって生成された追記データを上記ハイブリッドディスクに追記する工程を有するデータ追記方法。
【０００７】
（５）コンピュータに、読み取り専用領域と書き込み可能領域を持ち、上記読み取り専用領域には予め単数又は複数のコンテンツデータの実体のみが書き込まれており、上記コンテンツデータに関するファイルシステム情報は書き込まれていないハイブリッドディスクに追記するデータとして、上記コンテンツデータのアドレス情報を持つファイルシステム情報から成る追記データを生成する手順を実行させるためのプログラム。
（６）コンピュータに、読み取り専用領域と書き込み可能領域を持ち、上記読み取り専用領域には予め単数又は複数のコンテンツデータの実体の一部が書き込まれており、上記コンテンツデータに関するファイルシステム情報は書き込まれていないハイブリッドディスクに追記するデータとして、上記コンテンツデータの実体の残り部分及び上記コンテンツデータのアドレス情報とエクステント情報を持つファイルシステム情報から成る追記データを生成する手順を実行させるためのプログラム。
【０００８】
（７）上記（５）又は（６）のプログラムにおいて、上記コンテンツデータのアドレス情報をもつファイルシステム情報が書き込まれたハイブリッドディスクに追記するデータとして、上記コンテンツデータのアドレス情報を持たないファイルシステム情報から成る追記データを生成する手順を含むプログラム。
（８）上記（５）〜（７）のいずれかのプログラムにおいて、上記生成された追記データを上記ハイブリッドディスクに追記する手順を含むプログラム。
（９）上記（５）〜（８）のいずれかのプログラムが記録されたコンピュータ読み取り可能な記録媒体。
【発明の効果】
【０００９】
この発明による追記データ生成方法は、使用不可であったコンテンツを使用可能にする追記データを汎用的なシステムを用いて生成することができる。
また、この発明によるデータ追記方法は、上記生成された追記データを記録媒体に追記することができる。
さらに、この発明によるプログラムは、上記追記データの生成と追記とをコンピュータに実行させることができる。
さらにまた、この発明によるコンピュータ読み取り可能な記録媒体は、上記プログラムをコンピュータに容易に導入することができる。
【発明を実施するための最良の形態】
【００１０】
以下、この発明を実施するための最良の形態を図面に基づいて具体的に説明する。
〔実施例〕
図１は、この発明の実施例１のコンピュータシステムの構成を示すブロック図である。
このコンピュータシステムは、コンピュータ１と光ディスク装置２とからなり、コンピュータ１からの指示に基づいて光ディスク装置２がハイブリッドディスク３に対するデータの記録と再生を行う。
コンピュータ１は、制御部１０と記憶部１１を有する。その制御部１０は、ＣＰＵ、ＲＯＭ及びＲＡＭを含むマイクロコンピュータによって実現され、そのＲＡＭにこの発明に係るプログラムを格納し、ＣＰＵがそのプログラムを実行することによってこの発明に係る追記データ生成方法とデータ追記方法の処理を実行する。
【００１１】
記憶部１１は、ハードディスク装置（ＨＤＤ）を含む各種の記憶装置である。
上記プログラムは、ＣＤ又はＤＶＤを含むコンピュータ読み取り可能な記録媒体に記録することにより、コンピュータ１が汎用のものでも容易にプログラムをインストールしてこの発明に係る機能を導入することができる。すなわち、任意のコンピュータ上でハイブリッドディスク上のコンテンツに対する使用可能／使用不可状態を切り替え処理を実行できる。
【００１２】
一方、光ディスク装置２は、同じくマイクロコンピュータによって実現される制御部２０と、ハイブリッドディスク３に対するデータの記録及び再生のためのレーザ光Ｌを照射する光ピックアップ２１とからなる。この制御部２０は、コンピュータ１の制御部１０から送られる指示と追記データに基づいて光ピックアップ２１を制御し、光ピックアップ２１からハイブリッドディスク３へ追記データを記録するためのレーザ光Ｌを発生させる。
ハイブリッドディスク３は、例えばＣＤ−Ｒタイプのハイブリッドディスクを用いるとよい。ハイブリッドディスク３のフォーマットは、ディスクの内周側に読み取り専用領域３０を、ディスクの外周側に書き込み可能領域３１をそれぞれ配置している。
また、同ディスクへの書き込みはマルチセッション書き込みを用いるものとする。
さらに、ファイルシステムは一般的なＩＳＯ９６６０を用いるものとする。
【００１３】
図２は、図１に示すハイブリッドディスク３上に記録する追記データのＩＳＯ９６６０ファイルシステム構造の説明図である。
Ｎ（Ｎは正の整数）ｔｈセッション（スタートＬＢＡ＝Ｘとする）４０にＩＳＯ９６６０ファイルシステムが構築されている場合、まずＬＢＡ＝Ｘ＋１６に基本ボリューム記述子（以下「ＰＶＤ」と略称する）４１が記録されている。そのＰＶＤ４１の直後には、ボリューム記述子集合終端子（以下「ＴＤ」と略称する）４２が記録されている。なお、ＰＶＤ４１とＴＤ４２の間に副ボリューム記述子を記録してもよい。
ＴＤ４２の後には、パステーブル（Ｐａｔｈ  Ｔａｂｌｅ）領域４３、ルートディレクトリ（Ｒｏｏｔ  Ｄｉｒ）領域４４、ディレクトリ（Ｄｉｒ）領域４５、ファイル（Ｆｉｌｅ）領域４６が存在するが、それらの位置は任意である。
【００１４】
ＰＶＤ４１には、パステーブル領域４３の開始セクタ、ルートディレクトリ領域４４の開始セクタの情報を記録する。
ディレクトリ領域４５の各ディレクトリ（第１ディレクトリ，…，第ｌディレクトリ：ｌは正の整数）には、それぞれ各ディレクトリに含まれるサブディレクトリ、ファイル領域４６の各ファイル（第１ファイル，…，第ｍファイル：ｍは正の整数）の開始セクタの情報を記録する。
図３は、図１に示すハイブリッドディスク３上の任意のセッションにおけるファイルシステム構成例の説明図である。なお、図中にはＰＶＤ，ＴＤ，パステーブル領域，ルートディレクトリ領域の図示を省略する。
【００１５】
同図の（ａ）に示すように、任意のセッション５０は、第１ディレクトリ５１、第２ディレクトリ５２、第１ファイル５３、第２ファイル５４からなり、第１ディレクトリ５１には、サブディレクトリである第２ディレクトリ５２と、第１ファイル５３及び第２ファイル５４の各開始セクタの情報を記録する。同図の（ｂ）は、（ａ）に示したファィル構成を階層で示した図である。
また、ＩＳＯ９６６０ファイルシステムをマルチセッションで追記していった場合、最終セッションのファイルシステム情報が有効になる。
すなわち、コンピュータ１は、最初に最終セッションのＰＶＤを読み出し、その最終セッションのＰＶＤの情報からファイル・ディレクトリ構造を構築する。
【００１６】
次に、このコンピュータシステムにおけるハイブリッドディスク３に追記する追記データ生成と追記の処理について説明する。
ここでは、汎用的な論理構造（ファイルシステム）を用いて、コンピュータ１の制御部１０が、上記コンテンツ使用可能情報追記データの生成及び追記と、上記コンテンツ使用不可情報追記データの生成及び追記の各処理を行う場合について説明する。
図４は、ハイブリッドディスク３の読み取り専用領域のフォーマット例を示す説明図である。
読み取り専用領域３０を１ｓｔセッション６０とした場合、予めＩＳＯ９６６０情報として、ＰＶＤ、ＴＤ、パステーブル（以上は図示を省略）、及び空のルートディレクトリ６１が記録されている。
【００１７】
一方、１ｓｔセッション６０内の別領域には第Ａファイル（Ｆｉｌｅ）６２が予め書き込まれている。
ここで、第Ａファイル６２はルートディレクトリ６１とリンクしていない（ルートディレクトリ６１には第Ａファイル６２の開始セクタ情報が記録されていない）ので、制御部１０では認識することができない。
すなわち、ハイブリットディスク３をマウントすると、制御部１０では空のルートディレクトリ６１のみが存在するディスクとして認識する。
その状態（初期状態）では、コンピュータ１は第Ａファイル６２を利用することができない。
【００１８】
その後、コンピュータ１が、何か別の手段（ネットワークを通した課金など）によって、第Ａファイル６２の使用許可を得た場合、ハイブリッドディスク３に追記するためのデータを以下に示す処理で生成する。
まず、第Ａファイル６２のファイル開始セクタ情報を取得する。その取得手段は、ネットワークを通じて得ても良いし、１ｓｔセッション６０の任意の領域に予め書き込まれていたものを読み出しても良い。
次に、取得したファイル開始情報を含むルートディレクトリ情報を構築する。
そして、ルートディレクトリの開始セクタ情報を含むＰＶＤ、ＴＤなどを構築し、追記用データを生成する。
【００１９】
なお、上述の説明では、この発明に係るプログラムを、ハイブリッドディスク３を直接利用するコンピュータ１にインストールして実行させるようにした場合を説明したが、コンピュータ１にネットワークによって接続されたサーバにインストールして実行させるようにしても良い。
もし、サーバでこの発明に係るプログラムを実行させる場合は、サーバ上で生成された追記データを、ネットワークを通じてコンピュータ１に転送する。
このようにして得られた追記データを、コンピュータ１の記憶部１１又は制御部１０内のＲＡＭ上に保持する。
【００２０】
このようにして、ハイブリッドディスクの読み取り専用領域には予め単数または複数のコンテンツデータの実体のみが書き込まれており、そのコンテンツデータに関するファイルシステム情報は書き込まれていないハイブリッドディスクに対して、そのコンテンツデータのアドレス情報を持つファイルシステム情報から成る追記データを生成するので、使用不可であったコンテンツを使用可能にする追記データを汎用的なシステムを用いて、生成することができる。
【００２１】
次に、上記生成した追記データをハイブリッドディスク３に追記する処理について説明する。
制御部１０は、光ディスク装置２を制御して、上記コンテンツ使用可能情報追記データ、又はコンテンツ使用不可情報追記データをハイブリッドディスク３に追記する。
図５はハイブリッドディスク３に追記データを追記する処理の説明に供する図である。
この場合、ハイブリッドディスク３の読み取り専用領域３０を１ｓｔセッション６０とし、書き込み可能領域３１に２ｎｄセッション６３を設けている。
初期状態では、制御部１０からは認識できないものの、１ｓｔセッション６０に第Ａファィル６２がすべて書き込まれている。
【００２２】
まず、追記対象ディスクであるハイブリッドディスク３の書き込み可能アドレス（Ｎｅｘｔ  Ｗｒｉｔａｂｌｅ  Ａｄｄｒｅｓｓ：ＮＷＡ）を取得する。
これは、ハイブリッドディスク３が挿入されている光ディスク装置２に対して命令を発行することによって得られる。
次に、コンピュータ１の記憶部１１又は制御部１０のＲＡＭ上に存在する追記データを、ハイブリッドディスク３のＮＷＡから追記する。
その追記処理により、ルートディレクトリ６４によって１ｓｔセッション６０の第Ａファィル６２へのアクセスが可能になり、コンピュータ１が第Ａファィル６２を使用できるようになる。
【００２３】
なお、ハイブリッドディスク３上のディレクトリファイル構造はもっと複雑でも良い。
このようにして、上述した追記データ生成処理で生成された追記データをハイブリッドディスク３に追記するので、そのハイブリッドディスク３の読み取り専用領域に存在するコンテンツデータに対する使用可能／使用不可状態を切り替えることができる。
【００２４】
次に、上述のハイブリッドディスク３において、もし何らかの原因で第Ａファィル６２の開始セクタ位置が判明してしまうと、第Ａファィル６２のデータを、制御部１０の制御によらずに直接読み出すことができてしまう。
そこで、汎用的な論理構造（ファイルシステム）を用い、かつ使用許諾未付加状態におけるコンテンツデータの抜き取りを防止するコンテンツ使用可能情報追記データを生成する処理について説明する。
まず、ＩＳＯ９６６０の仕様で規定されたマルチエクステント構造について説明する。
図６は、ＩＳＯ９６６０の仕様で規定されたマルチエクステント構造を示す図である。
同図の（ａ）に示すように、第Ａファイル７０を、それぞれ第Ａ−１ファイル７１、第Ａ−２ファイル７２、第Ａ−３ファイル７３の３つの部分に分ける。その第Ａ−１ファイル７１、第Ａ−２ファイル７２、第Ａ−３ファイル７３をエクステントと呼ぶ。
【００２５】
これらエクステントは、ハイブリッドディスク３上の不連続な位置に配置可能である。
このとき、同図の（ｂ）に示すように、第Ａファイル７０を含む任意のディレクトリ７４には、第Ａファイルのエントリ７５として、第Ａファイルの１ｓｔエクステント情報（第Ａ−１ファイル７１の開始セクタ情報）と、第Ａファイルの２ｎｄエクステント情報（第Ａ−２ファイル７２の開始セクタ情報）と、第Ａファイルの３ｒｄエクステント情報（第Ａ−３ファイル７３の開始セクタ情報）が連続して配置される必要がある。
ハイブリッドディスク３には、読み取り専用領域３０、すなわち１ｓｔセッションには、予めＩＳＯ９６６０情報として、ＰＶＤ、ＴＤ、パステーブル、および空のルートディレクトリが存在する。
【００２６】
図７及び図８は、ハイブリッドディスク３に追記データを追記する他の処理の説明に供する図である。
図７の（ａ）に示すように、第Ａファイル７０を第Ａ−１ファイル７１〜第Ａ−３ファイル７３の３つの部分に分け、その第Ａ−２ファイル７２を除いて、図７の（ｂ）に示すように、１ｓｔセッション８０の別領域に第Ａ−１ファイル７１及び第Ａ−３ファイル７３を予め書き込んでいる。
この第Ａ−１ファイル７１及び第Ａ−３ファイル７３はルートディレクトリ８１とリンクしていないので、制御部１０からは認識できない。
この状態では、第Ａファイル７０の一部、すなわち第Ａ−２ファイル７２が存在しないので、直接データが抜き取られても問題ない。
【００２７】
その後、コンピュータ１が、何か別の手段（ネットワークを通した課金など）によって、第Ａファイル７０の使用許可を得た場合、ハイブリッドディスク３に追記するためのデータを以下に示す処理で生成する。
まず、第Ａ−１ファイル７１及び第Ａ−３ファイル７３のエクステントの開始セクタ情報を取得する。
その取得手段は、ネットワークを通じて得ても良いし、１ｓｔセッション８０の任意の領域に予め書き込まれていたものを読み出しても良い。
次に、第Ａ−２ファイル７２のデータを取得する。これは、ネットワークを通じて取得する、もしくは別媒体によって取得することが望ましい。
【００２８】
さらに、取得したファイル開始情報を含むルートディレクトリ情報を構築する。そのルートディレクトリ情報には、第Ａ−１ファイル７１のエクステント開始位置、第Ａ−２ファイル７２のエクステント開始位置、第Ａ−３ファイル７３のエクステント開始位置を含む。
次に、ルートディレクトリの開始セクタ情報を含むＰＶＤ、ＴＤなどを構築し、追記データを生成する。
図８に示すように、２ｎｄセッション８２に第Ａ−２ファイル７２を追記し、ルートディレクトリ７６に第Ａ−１ファイル７１，第Ａ−２ファイル７２，第Ａ−３ファイル７３の開始セクタ情報を記録する。
【００２９】
こうして、第Ａ−２ファイル７２の追記後に、第Ａファィル７０の利用が可能になる。
なお、上述の説明では、この発明に係るプログラムを、ハイブリッドディスク３を直接利用するコンピュータ１にインストールして実行させるようにした場合を説明したが、コンピュータ１にネットワークによって接続されたサーバにインストールして実行させるようにしても良い。
もし、サーバでこの発明に係るプログラムを実行させる場合は、サーバ上で生成された追記データを、ネットワークを通じてコンピュータ１に転送する。
その追記データをハイブリッドディスク３に追記することにより、第Ａファイル７０が制御部１０からアクセス可能になり、コンピュータ１で第Ａファイル７０を使用できるようになる。
【００３０】
このようにして、読み取り専用領域には予め単数または複数のコンテンツデータの実体の一部が書き込まれており、そのコンテンツデータに関するファイルシステム情報は書き込まれていないハイブリッドディスクに対して、そのコンテンツデータの実体の残り部分、および上記コンテンツデータのアドレス情報とエクステント情報を持つファイルシステム情報から成る追記データを生成するので、使用不可であったコンテンツを使用可能にする追記データを汎用的なシステムを用いて生成することができると同時に、コンテンツデータの抜き取りを防止することができる。
【００３１】
次に、使用可能であるデータを使用不可にする処理について説明する。
制御部１０は、汎用的な論理構造（ファイルシステム）を用いたコンテンツ使用不可情報追記データを生成する。
図９は、ハイブリッドディスク３に追記データを追記する処理のさらに他の例の説明に供する図である。
初期状態のハイブリッドディスク３において、１ｓｔセッション９０内にルートディレクトリ９３と第Ａファイル９４が記録されており、上述した追記データの生成と追記の処理により、２ｎｄセッション９１のルートディレクトリ９５によって第Ａファイル９４が使用可能になっているものとする。
【００３２】
まず、空のルートディレクトリ情報を構築する。
次に、ルートディレクトリの開始セクタ情報を含むＰＶＤ、ＴＤなどを構築し、追記データを生成する。
なお、上述の説明では、この発明に係るプログラムを、ハイブリッドディスク３を直接利用するコンピュータ１にインストールして実行させるようにした場合を説明したが、コンピュータ１にネットワークによって接続されたサーバにインストールして実行させるようにしても良い。
もし、サーバでこの発明に係るプログラムを実行させる場合は、サーバ上で生成された追記データを、ネットワークを通じてコンピュータ１に転送する。
【００３３】
この追記データを、２ｎｄセッション９１に追記することにより、第Ａファイル９４へのリンクは無くなり、制御部１０からアクセス不可能になり、コンピュータ１は第Ａファイル９４を使用できないようになる。さらに、３ｒｄセッション９６の追記でも、ルートディレクトリ９６は第Ａファイル９４へリンクしないので、同様にして制御部１０からアクセス不可能になり、コンピュータ１は第Ａファイル９４を使用できないようになる。
【００３４】
このようにして、既に使用可能であるコンテンツデータを持つ、すなわちコンテンツデータのアドレス情報をもつファイルシステム情報が書き込まれたハイブリッドディスクに対して、コンテンツデータのアドレス情報を持たないファイルシステム情報から成る追記データを生成するので、使用可能であったコンテンツを使用不可にする追記データを汎用的なシステムを用いて生成することができる。
上述の実施例では、ハイブリッドディスクとしてＣＤ−Ｒタイプのハイブリッドディスクについて説明したが、ＣＤ−ＲＷタイプのハイブリッドディスクやＤＶＤでも良い。
【産業上の利用可能性】
【００３５】
この発明による追記データ生成方法、データ追記方法は、デスクトップパソコン，ノートブックパソコンを含むパーソナルコンピュータ、ネットワーク接続されたサーバにおいても適用することができる。
【図面の簡単な説明】
【００３６】
【図１】この発明の実施例１のコンピュータシステムの構成を示すブロック図である。
【図２】図１に示すハイブリッドディスク３上に記録する追記データのＩＳＯ９６６０ファイルシステム構造の説明図である。
【図３】図１に示すハイブリッドディスク３上の任意のセッションにおけるファイルシステム構成例の説明図である。
【図４】図１に示すハイブリッドディスク３の読み取り専用領域のフォーマット例を示す説明図である。
【図５】図１に示すハイブリッドディスク３に追記データを追記する処理の説明に供する図である。
【００３７】
【図６】ＩＳＯ９６６０の仕様で規定されたマルチエクステント構造を示す図である。
【図７】図１に示すハイブリッドディスク３に追記データを追記する他の処理の説明に供する図である。
【図８】図７の続きを示す図である。
【図９】図１に示すハイブリッドディスク３に追記データを追記する処理のさらに他の例の説明に供する図である。
【符号の説明】
【００３８】
１：コンピュータ    ２：光ディスク装置    ３：ハイブリッドディスク    １０，２０：制御部    １１：記憶部    ２１：光ピックアップ    ３０：読み取り専用領域    ３１：書き込み可能領域
【図１】
2006221751.tif 000003
【図２】
2006221751.tif 000004
【図３】
2006221751.tif 000005
【図４】
2006221751.tif 000006
【図５】
2006221751.tif 000007
【図６】
2006221751.tif 000008
【図７】
2006221751.tif 000009
【図８】
2006221751.tif 000010
【図９】
2006221751.tif 000011